【事件の表示】
　特願２０００−３４６２７４「画像入出力装置」拒絶査定不服審判事件〔平成１４年　５月２４日出願公開、特開２００２−１５２４３５〕について、次のとおり審決する。
【結　論】
　本件審判の請求は、成り立たない。
【理　由】
第１　手続きの経緯
　本願は、平成１２年１１月１４日に出願されたものであって、平成１８年２月２４日付けで拒絶査定がなされ、これに対して同年４月１３日に拒絶査定不服審判が請求されるとともに同年５月１５日に手続補正がなされたものである。
　
第２　平成１８年５月１５日の手続補正についての補正却下の決定
［補正却下の決定の結論］
　平成１８年５月１５日付けの手続補正を却下する。
　
［理由］
１．補正後の本願発明
　平成１８年５月１５日付けの手続補正により、特許請求の範囲の請求項１は、
　「請求項１】　画像データを入力する少なくとも１つの画像入力手段と、
　画像データを出力する少なくとも１つの画像出力手段と、
　画像データを蓄積する画像蓄積手段が設けられている場合に、前記画像入力手段で入力された入力画像データを前記画像蓄積手段に蓄積する入力画像データ蓄積ジョブおよび前記画像蓄積手段に蓄積された蓄積画像データを前記画像出力手段で出力する蓄積画像データ出力ジョブを組み合わせて１つの画像入出力ジョブとして実行するか、あるいは前記画像入力手段で入力された入力画像データを前記画像蓄積手段に蓄積することなく前記画像出力手段で出力する入力画像データ出力ジョブを実行するかを、選択的に切り替えるジョブ制御手段とを備え、
　前記ジョブ制御手段は、処理すべきジョブの種別から画像データ蓄積の必要性を判断し、必要な場合は当該処理すべきジョブを前記画像入出力ジョブとして実行し、必要ない場合または前記画像蓄積手段が使用不可能な場合には当該処理すべきジョブを前記入力画像データ出力ジョブとして実行するように、選択的な切り替えを行うとともに、
　前記画像入出力ジョブを選択した場合に、当該画像入出力ジョブの実行に必要となる画像入力手段が使用可能で、かつ、当該画像入出力ジョブの実行に必要となる画像出力手段が他のジョブ実行によって占有されていると、当該画像入出力ジョブを構成する入力画像データ蓄積ジョブを直ちに実行開始させ、当該画像入出力ジョブを構成する蓄積画像データ出力ジョブについては前記他のジョブ実行によって占有されている画像出力手段が使用可能になった時点で実行開始させる
　ことを特徴とする画像入出力装置。」
と補正された。
　
２．補正の適否について
　平成１８年５月１５日付けの手続補正は、補正前の請求項１に記載された発明を特定するために必要な事項に「前記画像入出力ジョブを選択した場合に、当該画像入出力ジョブの実行に必要となる画像入力手段が使用可能で、かつ、当該画像入出力ジョブの実行に必要となる画像出力手段が他のジョブ実行によって占有されていると、当該画像入出力ジョブを構成する入力画像データ蓄積ジョブを直ちに実行開始させ、当該画像入出力ジョブを構成する蓄積画像データ出力ジョブについては前記他のジョブ実行によって占有されている画像出力手段が使用可能になった時点で実行開始させる」との限定を付加する補正であり、特許法第１７条の２第４項第２号の特許請求の範囲の減縮を目的とするものに該当する。
　そこで、平成１８年５月１５日付けの手続補正後の請求項１に記載された発明（以下、「本願補正発明」という。）が特許出願の際独立して特許を受けることができるものであるか、すなわち平成１８年改正前特許法第１７条の２第５項において準用する同法第１２６条第５項の規定に適合するかどうかについて以下に検討する。
　
３．引用刊行物
（１）原審が拒絶の理由に引用した特開２０００−１３８７８７号公報（平成１２年５月１６日出願公開。以下、「引用例１」という。）には、図面とともに次の各記載がある。
　
（ア）「【特許請求の範囲】
【請求項１】　少なくとも１つの画像入力部から画像データを入力する入力手段と、画像データを一時的に記憶する一時記憶手段と、前記一時記憶手段に一時的に記憶された画像データを記憶する前記一時記憶手段よりも大容量の二次記憶手段と、少なくとも一つの画像出力部に画像データを出力する出力手段と、前記二次記憶手段の異常を検知する検知手段と、実行すべき一単位の画像処理を表わす画像処理パラメータに従って画像データの入力及び出力を制御する制御手段とを有し、前記制御手段は画像処理パラメータにより表わされた画像処理を、前記入力手段により画像データを入力する画像入力ジョブと前記出力手段により画像データを出力する画像出力ジョブとに分け、画像入力ジョブと画像出力ジョブの実行を独立に制御することにより複数単位の画像処理を並行に実行する構成とし、且つ、前記検知手段により前記二次記憶手段の異常が検知された場合には、複数単位の画像処理を並行に実行する動作を禁止することを特徴とする画像入出力装置。
（中略）
【請求項４】　前記制御手段は、前記検知手段により前記二次記憶手段の異常が検知されていない場合は、前記入力手段により入力された画像データを前記一時記憶手段を介して前記二次記憶手段に記憶し、前記二次記憶手段に記憶された画像データを前記一時記憶手段を介して前記出力手段により出力し、一方、前記検知手段により前記二次記憶手段の異常が検知された場合は、前記入力手段により入力された画像データを前記一時記憶手段に記憶し、前記二次記憶手段を介すること無しに、前記一時記憶手段に記憶された画像データを前記出力手段により出力する様、画像入力ジョブと画像出力ジョブの実行を独立に制御することを特徴とする請求項１に記載の画像入出力装置。」
　
（イ）「【００１１】
【発明の実施の形態】図１は本発明を適用した画像入出力制御装置の実施例構成を示すブロック図である。
【００１２】同図において、リーダ部１は原稿の画像をＣＣＤイメージセンサ等により光電的に読み取り、原稿画像に応じた画像データを画像入出力制御部３へ出力する。プリンタ部２は、例えばレーザビームプリンタであって、画像入出力制御部３からの画像データに応じた画像を記録紙上に記録する。画像入出力制御部３はリーダ部１およびプリンタ部２に接続されており、ファクシミリ部４、ストレージ部５、コンピュータインターフェース部７、ＲＩＰ（Ｒａｓｔｅｒ Ｉｍａｇｅ Ｐｒｏｃｅｓｓｏｒ）部８、操作部９、コア部１０などからなる。
（中略）
【００１４】ストレージ部５にはハードディスク６が接続されており、ストレージ部５はコア部１０から転送された画像データを圧縮し、その画像データを検索するためのＩＤ番号とともにハードディスク６に記憶させる。又、ストレージ部５はコア部１０を介して転送されたコードデータに基づいてハードディスク６に記憶されている圧縮画像データを検索し、検索された圧縮画像データを読み出して伸長し、伸長された画像データをコア部１０へ転送する。このハードディスク６は例えば２ギガバイトの記憶容量を有し、画像の内容に左右されるが、Ａ４サイズの画像を約１０００ページ分記憶可能である。
【００１５】更に、ストレージ部５は、ハードディスク６の接続の有無およびハードディスク６の故障の有無をハードディスクインターフェースを介したコマンド／レスポンス、および、所定データの書き込み、読み出し、照合を行うことにより検出する。」
　
（ウ）「【００２４】リーダ部１からの画像データはインターフェース１２２を介して、データ処理部１２１へ転送される。データ処理部１２１は画像の回転処理や変倍処理などの画像処理や画像データの圧縮、伸長を行うものであり、内部にＡ４／Ｌｅｔｔｅｒサイズ相当の画像データを４ページ分記憶可能なページメモリ１２５を有する。リーダ部１からデータ処理部１２１へ転送された画像データは、ページメモリ１２５に一時的に記憶された後、圧縮されてインターフェース１２０を介してストレージ部５へ転送される。
（中略）
【００２７】また、ストレージ部５からの画像データは、データ処理部１２１へ転送された後、伸長されてページメモリ１２５に一時的に記憶された後、プリンタ部２やファクシミリ部４、コンピュータインターフェース部７へ転送される。
【００２８】尚、前述したデータ処理部１２１へ各種画像データを入力し、ページメモリ１２５に一時的に記憶した後、ストレージ部５へ画像データを転送する前に、プリンタ部２やファクシミリ部４、コンピュータインターフェース部７へ転送することも内部のセレクタを切り替えて実行することができる。
【００２９】ＣＰＵ１２３はメモリ１２４に記憶されている制御プログラム、および操作部９から転送された制御コマンドに従って上記各種動作の制御を行う。また、メモリ１２４はＣＰＵ１２３の作業領域としても使われる。
【００３０】このように、コア部１０を中心に、データ処理部１２１およびストレージ部５を介して、原稿画像の読み取り、画像のプリント、画像の送受信、画像の保存、コンピュータからのデータの入出力などの機能を複合させた処理を行うことが可能である。」
　
（エ）「【００３１】次に、本実施例に係る画像入出力制御装置において、コア部１０のＣＰＵ１２３にて実行されるジョブ制御について、まず、ハードディスク６が正常動作している場合に例を、図４を用いて説明する。図４はジョブ制御の単位を論理的に示したものである。
【００３２】ジョブ制御の単位は複数ページを含む画像データひとまとまりに対する一連の入力および出力処理である。これにより制御されるジョブは画像入力ジョブと画像出力ジョブに大別される。
【００３３】画像入力ジョブはリーダ部１で読み取った画像データを順次ストレージ部５へ記録する画像入力ジョブ４１１、ＲＩＰ部８で展開された画像データを順次ストレージ部５へ記録する画像入力ジョブ４１２、ファクシミリ部４−１で受信された画像データを順次ストレージ部５へ記録する画像入力ジョブ４１３、コンピュータインターフェース部７−１から入力された画像データを順次ストレージ部５へ記録する画像入力ジョブ４１４にさらに分類される。
【００３４】また、画像出力ジョブは、ストレージ部５から読み出した画像データを順次プリンタ部２へ出力する画像出力ジョブ４０１、ストレージ部５から読み出した画像データを順次ファクシミリ部４−２へ出力する画像出力ジョブ４０３、ストレージ部５から読み出した画像データを順次コンピュータインターフェース部７−２へ出力する画像出力ジョブ４０４に分類される。
【００３５】図５は、複数のジョブを組み合わせた単位（以下セッションと呼ぶ）の一例を示したものである。
【００３６】５０１はＰＤＬプリントセッションであり、画像入力ジョブ４１２と画像出力ジョブ４０１を組み合わせてセッションとして制御するものである。５０２はコピーセッションであり、画像入力ジョブ４１１と画像出力ジョブ４０１を組み合わせてセッションとして制御するものである。５０３はファクシミリ送信セッションであり、画像入力ジョブ４１１と画像出力ジョブ４０３を組み合わせてセッションとして制御するものである。５０４はファクシミリ受信セッションであり、画像入力ジョブ４１３と画像出力ジョブ４０１を組み合わせてセッションとして制御するものである。５０５はスキャンセッションであり、画像入力ジョブ４１１と画像出力ジョブ４０４を組み合わせてセッションとして制御するものである。
【００３７】尚、セッションは１つ以上のジョブを含む制御単位であり、図５に示した以外に、例えば画像入力ジョブ４１２を１セッションとして扱ったり、また、画像出力ジョブ４０１を１セッションとして扱ったり、画像入力ジョブ４１２と画像出力ジョブ４０１と画像出力ジョブ４０３の３通りのジョブを組み合わせて１セッションとして扱っても良い。」
　
（オ）「【００３８】図６は、本実施例において、ハードディスク６が正常動作している場合における、画像入出力制御装置のコア部１０のＣＰＵ１２３にて実行されるセッション制御タスクおよびジョブ制御タスクとして、画像データを順次ストレージ部５へ記録する画像入力ジョブおよびストレージ部５に記録された画像データを順次プリンタ部２へプリントアウトする画像出力ジョブからなるセッションの制御手順を示したフローチャートである。なお、図中の（Ｓ６０１）〜（Ｓ６３０）は各ステップを示し、セッション制御タスク（ａ）、画像入力ジョブ制御タスク（ｂ）、および画像出力ジョブ制御タスク（ｃ）は各々マルチタスク動作するものである。
（中略）
【００６７】次にＰＤＬプリントセッションにおける画像出力ジョブ制御タスク（ｃ）について説明する。
【００６８】ステップ（Ｓ６２１）では、画像出力ジョブ制御タスク（ｃ）が、セッション制御タスク（ａ）からこのジョブの開始指示を受けて、プリンタ部２が他のジョブにより使用されておらず、新たなプリント動作可能状態であれば、指示されたジョブを開始する。
【００６９】ステップ（Ｓ６２２）では、画像入力ジョブ制御タスク（ｂ）から、ページメモリ１２５に一時的に記憶された画像データの出力要求を受信する。
【００７０】ステップ（Ｓ６２３）では、ページメモリ１２５からの画像データの読み出しを開始する。
【００７１】ステップ（Ｓ６２４）では、プリンタ部２の使用権を獲得後、読み出したページの画像データを、インターフェース１２２を介してプリンタ部２へ画像転送し、プリンタ部２で前述したように画像形成を行ないプリントアウトする。
【００７２】ステップ（Ｓ６２５）では、画像入力ジョブ制御タスク（ｂ）からのページ出力要求が最終ページかどうかが判断される。個々での判断の結果、処理されていないページが残っている場合は、処理をステップ（Ｓ６２２）に戻し、また、全てのページが処理された場合には、処理をステップ（Ｓ６２６）に進める。ここまでの処理で、（Ｐ１）にて設定された印刷部数１０のうちの最初の１部が完了する。この段階で、必要に応じステープル処理をプリント出力に対して実行してもよい。
【００７３】ステップ（Ｓ６２６）では、画像入力ジョブ制御タスク（ｂ）のステップ（Ｓ６１５）でストレージ部５のハードディスク６に記録されたページ毎の画像データを順次読み出して、インターフェース１２０を介してデータ処理部１２１に画像転送する。データ処理部１２１では、転送された１ページ分の画像データをページメモリ１２５上に保持する。
【００７４】ステップ（Ｓ６２７）では、プリンタ部２の使用権を獲得後、データ処理部１２１に転送されてページメモリ１２５に保持されている画像データをインターフェース１２２を介してプリンタ部２へ転送し、プリンタ部２で画像形成を行ないプリントアウトする。
（中略）
【００９９】コピーセッション５０２における画像入力ジョブ制御タスク（ｂ）について説明する。
【０１００】ステップ（Ｓ６１１）では、画像入力ジョブ制御タスク（ｂ）が、セッション制御タスク（ａ）からジョブの開始指示を受けて、他の画像入力ジョブによってリーダ部１が使用されておらず、新たな画像入力ジョブの受け付け可能状態であれば、指示されたジョブを開始する。
【０１０１】ステップ（Ｓ６１２）では、リーダ部１で読み取られた画像データ１ページの受信を行なう。即ち、リーダ部１からインターフェース１２０を介してデータ処理部１２１への画像転送を行なう。
【０１０２】ステップ（Ｓ６１３）では、データ処理部１２１に転送された画像データをページメモリ１２５に一時的に記憶する。
【０１０３】ステップ（Ｓ６１４）では、画像出力ジョブ制御タスク（ｃ）に対してページ出力要求を送信する。画像出力ジョブ制御タスク（ｃ）にて、当該ページの画像データのページメモリ１２５からの読み出しが終了したら、ステップ（Ｓ６１５）に進む。
【０１０４】ステップ（Ｓ６１５）では、ページメモリ１２５中に一時的に記憶された画像データを、ストレージ部５のハードディスク６に記録する。この時、ページ管理テーブル７２０中のページ１フィールド７２１に各種画像属性情報（解像度、画素数、等）を記録する。
【０１０５】ステップ（Ｓ６１６）ではリーダ部１で読み取られた処理すべき全てのページが画像データとしてハードディスク６に記録されたかどうかが判断される。ここでの判断の結果、処理されていないページが残っている場合は、処理をステップ（Ｓ６１２）に戻し、また、全てのページが処理された場合には、処理をステップ（Ｓ６１７）に進める。
【０１０６】ステップ（Ｓ６１７）では、セッション制御タスク（ａ）に画像入力ジョブの終了通知を送信し、画像入力ジョブ制御タスク（ｂ）を終了する。これにより、画像入力ジョブのジョブ管理テーブル７１０のジョブステータス７１４は終了状態となる。
【０１０７】コピーセッション５０２における画像出力ジョブ制御タスク（ｃ）のステップ（Ｓ６２１）以降の処理は、前述したＰＤＬプリントセッション５０１の場合と全く同様なので省略する。」
　
（カ）「【０１０９】次に、ハードディスク６が故障している場合におけるコア部１０のＣＰＵ１２３による制御動作を説明する。
【０１１０】図１１は、コア部１０のＣＰＵ１２３によるハードディスク６の接続の有無、および、ハードディスク６の故障の有無を調査するための動作手順を示すフローチャートである。」
　
（キ）「【０１１７】次に、本実施例に係る画像入出力制御装置のコア部１０のＣＰＵ１２３にて実行される、ハードディスク６が故障している場合の制御動作について説明する。
【０１１８】ハードディスク６が故障している場合は、図４および図５に示したストレージ部をデータ処理部１２１のページメモリ１２５に置き換えて処理するものである。
【０１１９】図９は、本実施例に係る画像入出力制御装置のコア部１０のＣＰＵ１２３にて実行されるセッション制御タスクおよびジョブ制御タスクとして、画像データを順次ページメモリ１２５に記録する画像入力ジョブおよびページメモリ１２５に記録された画像データを逐次プリンタ部２へプリントアウトする画像出力ジョブからなるセッションの制御手順を示したフローチャートである。なお、図中の（Ｓ９０１）〜（Ｓ９３０）は各ステップを示し、セッション制御タスク（ａ）、画像入力ジョブタスク（ｂ）、および画像出力ジョブタスク（ｃ）は、各々マルチタスク動作するものである。
（中略）
【０１５２】次にＰＤＬプリントセッションにおける画像出力ジョブ制御タスク（ｃ）について説明する。
【０１５３】ステップ（Ｓ９２１）では、画像出力ジョブ制御タスク（ｃ）が、セッション制御タスク（ａ）からこのジョブの開始指示を受けて、プリンタ部２が他のジョブにより使用されておらず、新たなプリント動作可能状態であれば、指示されたジョブを開始する。
【０１５４】ステップ（Ｓ９２２）では、画像入力ジョブ制御タスク（ｂ）から、ページメモリ１２５に一時的に記憶された画像データの出力要求を受信する。
【０１５５】ステップ（Ｓ９２３）では、ページメモリ１２５からの画像データの読み出しを開始する。
【０１５６】ステップ（Ｓ９２４）では、プリンタ部２の使用権を獲得後、読み出したページの画像データを、インターフェース１２２を介してプリンタ部２へ画像転送し、プリンタ部２で前述したように画像形成を行ないプリントアウトする。
【０１５７】ステップ（Ｓ９２５）では、画像入力ジョブ制御タスク（ｂ）からのページ出力要求が最終ページかどうかが判断される。個々での判断の結果、処理されていないページが残っている場合は、処理をステップ（Ｓ９２２）に戻し、また、全てのページが処理された場合には、ステイプル処理をして、ステップ（Ｓ９３０）に進む。ここまでの処理で、パラメータ（Ｐ１１２）として再設定された印刷部数１のプリントアウトが完了する。
【０１５８】ステップ（Ｓ９３０）では、セッション制御タスク（ａ）に画像出力ジョブの終了通知を送信し、画像出力ジョブ制御タスク（ｃ）を終了する。
（中略）
【０１６０】次に、図９を用いて、本実施例に係る画像入出力制御装置のハードディスク６が故障している場合におけるセッション制御およびジョブ制御の第２の例として、コピーセッション５０２と、それを構成するリーダ部１で読み取られた画像データを順次データ処理部１２１のページメモリ１２５に記録する画像入力ジョブ４１１およびデータ処理部１２１のページメモリ１２５に記録された画像データを逐次プリンタ部２へプリントアウトする画像出力ジョブ４０１の制御手順を説明する。
【０１６１】即ち、ハードディスク６が故障している場合は、前述したＰＤＬプリントセッションの場合と同様に、図４および図５に示したストレージ部をデータ処理部１２１のページメモリ１２５に置き換えて処理するものである。
（中略）
【０１８５】コピーセッション５０２における画像入力ジョブ制御タスク（ｂ）について説明する。
【０１８６】ステップ（Ｓ９１１）では、画像入力ジョブ制御タスク（ｂ）が、セッション制御タスク（ａ）からジョブの開始指示を受けて、他の画像入力ジョブによってリーダ部１が使用されておらず、新たな画像入力ジョブの受け付け可能状態であれば、指示されたジョブを開始する。
【０１８７】ステップ（Ｓ９１２）では、リーダ部１で読み取られた画像データ１ページの受信を行なう。即ち、リーダ部１からインターフェース１２０を介してデータ処理部１２１への画像転送を行なう。
【０１８８】ステップ（Ｓ９１３）では、データ処理部１２１に転送された画像データをページメモリ１２５に一時的に記憶する。
【０１８９】ステップ（Ｓ９１４）では、画像出力ジョブ制御タスク（ｃ）に対してページ出力要求を送信する。画像出力ジョブ制御タスク（ｃ）にて、当該ページの画像データのページメモリ１２５からの読み出しが終了したら、ステップ（Ｓ９１６）に進む。
【０１９０】ステップ（Ｓ９１６）ではリーダ部１で読み取られた処理すべき全てのページが画像データとしてデータ処理部１２１のページメモリ１２５に記録されたかどうかが判断される。ここでの判断の結果、処理されていないページが残っている場合は、処理をステップ（Ｓ９１２）に戻し、また、全てのページが処理された場合には、処理をステップ（Ｓ９１７）に進める。
【０１９１】ステップ（Ｓ９１７）では、セッション制御タスク（ａ）に画像入力ジョブの終了通知を送信し、画像入力ジョブ制御タスク（ｂ）を終了する。これにより、画像入力ジョブのジョブ管理テーブル７１０のジョブステータス７１４は終了状態となる。
【０１９２】コピーセッション５０２における画像出力ジョブ制御タスク（ｃ）のステップ（Ｓ９２１）以降の処理は、前述したＰＤＬプリントセッション５０１の場合と全く同様なので省略する。」
　
　以上の記載からみて、引用例１には、次の発明が記載されているものと認められる。
　「原稿の画像をＣＣＤイメージセンサ等により光電的に読み取り、原稿画像に応じた画像データを画像入出力制御部３へ出力するリーダ部１と、
　画像入出力制御部３からの画像データに応じた画像を記録紙上に記録するプリンタ部２と、
　ファクシミリ部４、ストレージ部５、コンピュータインターフェース部７、ＲＩＰ部８、操作部９、コア部１０などからなる画像入出力制御部３とからなり、
　ストレージ部５にはハードディスク６が接続されており、
　前記コア部１０のＣＰＵ１２３は、画像入力ジョブと画像出力ジョブを組み合わせてセッションとして制御（ジョブ制御）し、
　コピーセッションにおいて、
　ハードディスク６が正常動作している場合は、リーダ部１で読み取った画像データをページメモリ１２５に一時的に記録した後、ハードディスク６へ記録する画像入力ジョブと、ハードディスク６から読み出した画像データをページメモリ１２５に一時的に記録した後、順次プリンタ部２へ出力する画像出力ジョブとを組み合わせたセッションを実行し、
　ハードディスク６が故障している場合は、ハードディスク６を介することなく、リーダ部１で読み取った画像データをページメモリ１２５に一時的に記録する画像入力ジョブと、ページメモリ１２５に記録した画像データをプリンタ部２へ出力する画像出力ジョブからなるセッションを実行し、
　セッション制御タスク（ａ）、画像入力ジョブ制御タスク（ｂ）、及び画像出力ジョブ制御タスク（ｃ）は各々マルチタスク動作するものであり、
　他の画像入力ジョブによってリーダ部１が使用されておらず、新たな画像入力ジョブの受け付け可能状態であれば、画像入力ジョブを開始し、
　プリンタ部２が他のジョブにより使用されておらず、新たなプリント動作可能状態であれば、画像出力ジョブを開始する
　画像入出力装置。」
　
（２）原審が拒絶の理由に引用した特開平１１−１８７１９０号公報（以下、「引用例２」という。）には、図面とともに次の各記載がある。
　
（ア）「【０００１】
【発明の属する技術分野】本発明は、複数の機能の動作を制御するための複合機能処理装置および複合機能処理方法に係わり、特にコピー機能、プリンタ機能およびＦＡＸ機能を有したデジタル複合機にて用いられる複合機能処理装置および複合機能処理方法に関するものである。」
　
（イ）「【００１２】ここで、本実施の形態における複合機能処理装置の説明に先立ち、この複合機能処理装置が搭載されるデジタル複合機について説明する。図２に示すように、デジタル複合機１は、複合機能処理装置に相当する画像処理部（Electronic Sub-System;以下、ＥＳＳと略す）１０を搭載しているものであり、さらには、コピー機能を実現するための自動原稿送り装置（Automatic Document Feeder;以下、ＡＤＦと略す）２１および画像読取装置（Image Input Terminal/Image Processing System；以下、IIT/IPS と略す）２２と、ＦＡＸ機能を実現するためのＦＡＸ装置２３と、画像出力を行うための画像出力装置（Image Output Terminal;以下、ＩＯＴと略す）２４と、ユーザが操作するためのユーザインターフェース（User Interfase；以下、ＵＩと略す）部２５と、大容量のデータ記憶装置であるハードディスク装置（Hard Disk Drive;以下、ＨＤＤと略す）２６と、を有しているものである。また、このデジタル複合機１では、プリンタ機能に対応するために、ネットワーク３０を介して、外部装置となるホスト装置３１と接続されている。
【００１３】このようなデジタル複合機１に搭載されるＥＳＳ１０は、このデジタル複合機１におけるコピー機能、プリンタ機能およびＦＡＸ機能の動作制御や、これらの機能の動作実現に必要な全体制御等を行うものである。そのために、ＥＳＳ１０は、IIT/IPS ２２と接続するためのIIT インターフェース（以下、インターフェースをI/F と略す）１１と、ＦＡＸ装置２３と接続するためのFAX-I/F １２と、ネットワーク３０と接続するためのNET-I/F １３と、これらを介して受け取った画像データを一時的に保持するページバッファ（Page Buffer;以下、ＰＢと略す）１４と、その画像データに対して必要に応じてデコンポーズ等の処理を行う画像展開部（Comp./Decomp. Controller；以下、C/D-Contと略す）１５と、ＨＤＤ２６をコントロールするためのディスクコントローラ（Disk Controller;以下、Disk-Cont と略す）１６と、ＩＯＴ２４と接続するためのIOT-I/F １７と、ジョブの処理要求に従ってこれらの各部を制御する主制御部（System Controller;以下、Sys-Contと略す）１８と、詳細を後述する拡張用のＩ／Ｆ（以下、EX-I/Fと称す）１９と、これらの各部を互いに接続するバス２０と、を備えているものである。」
　
（ウ）「【００１５】コピー機能の動作制御
ＡＤＦ２１またはIIT/IPS ２２のプラテン上に読み取り対象となる原稿がセットされ、ＵＩ部２５からコピー機能を用いるジョブが要求されると、先ず、ＥＳＳ１０では、Sys-Cont１８がIIT/IPS ２２に対して原稿からの画像データの読み取りを依頼する。そして、IIT/IPS ２２から光電変換によって読み取られた画像データをIIT-I/F １１を介して受け取ると、ＥＳＳ１０では、ＰＢ１４がその画像データを一時的に保持する。このとき、ＩＯＴ２４が画像データを出力可能な状態であれば、Sys-Cont１８は、ＰＢ１４内の画像データを、IOT-I/F １７を介してＩＯＴ２４へ送出し、このＩＯＴ２４に周知の電子写真方式を用いた画像出力を行わせる。また、ＩＯＴ２４が出力不可能な状態であれば、Disk-Cont １６がＰＢ１４内の画像データをＨＤＤ２６内に蓄積させる。その後、ＩＯＴ２４が出力可能となった時点で、Sys-Cont１８は、上述と同様にしてＩＯＴ２４に画像出力を行わせる。
【００１６】このようにして、ＥＳＳ１０は、コピー機能の動作の制御を行う。なお、１つの原稿に対して複数部の画像出力を行うジョブが設定された場合には、原稿から読み取られた画像データをＨＤＤ２６に格納させた後、そのＨＤＤ２６からの読み出しを複数回繰り返すことにより、複数部の画像出力を実現するようにすればよい。」
　
４．対比
　本願補正発明と引用例１に記載された発明を対比する。
（１）引用例１に記載された発明の、「原稿の画像をＣＣＤイメージセンサ等により光電的に読み取り、原稿画像に応じた画像データを画像入出力制御部３へ出力するリーダ部１」は、本願補正発明の「画像入力手段」に、また、引用例１に記載された発明の「画像入出力制御部３からの画像データに応じた画像を記録紙上に記録するプリンタ部２」は、本願補正発明の「画像出力手段」に、それぞれ相当する。
　したがって、引用例１に記載された発明と本願補正発明とは、「画像データを入力する少なくとも１つの画像入力手段と、画像データを出力する少なくとも１つの画像出力手段と」を備える点で一致する。
（２）引用例１に記載された発明の、ストレージ部５に接続された「ハードディスク６」は、本願補正発明の「画像蓄積手段」に相当する。
　引用例１に記載された発明の、コア部１０の「ＣＰＵ１２３」は、「画像入力ジョブと画像出力ジョブを組み合わせてセッションとして制御」、すなわち「ジョブ制御」を行うことから、本願補正発明の「ジョブ制御手段」に対応する。
　引用例１に記載された発明の「コピーセッション」において、「ハードディスク６が正常動作している場合」における、「リーダ部１で読み取った画像データをページメモリ１２５に一時的に記録した後、ハードディスク６へ記録する画像入力ジョブ」及び「ハードディスク６から読み出した画像データをページメモリ１２５に一時的に記録した後、順次プリンタ部２へ出力する画像出力ジョブ」は、それぞれ本願補正発明の「画像入力手段で入力された入力画像データを画像蓄積手段に蓄積する入力画像データ蓄積ジョブ」及び「画像蓄積手段に蓄積された蓄積画像データを画像出力手段で出力する蓄積画像データ出力ジョブ」に相当し、引用例１に記載された発明の「画像入力ジョブ」と「画像出力ジョブ」とを組み合わせた「セッション」は、本願補正発明の「入力画像データ蓄積ジョブ」と「蓄積画像データ出力ジョブ」とを組み合わせた「画像入出力ジョブ」に相当する。
　同様に、引用例１に記載された発明の、「ハードディスク６が故障している場合」における、「ハードディスク６を介することなく、リーダ部１で読み取った画像データをページメモリ１２５に一時的に記録する画像入力ジョブと、ページメモリ１２５に記録した画像データをプリンタ部２へ出力する画像出力ジョブからなるセッション」は、そのジョブの内容から、本願補正発明の「画像入力手段で入力された入力画像データを前記画像蓄積手段に蓄積することなく前記画像出力手段で出力する入力画像データ出力ジョブ」に相当するといえる。
　そして、引用例１に記載された発明における「ハードディスク６が正常動作している場合」及び「ハードディスク６が故障している場合」が、本願補正発明における「画像データを蓄積する画像蓄積手段が設けられている場合」を前提としていることは明らかであり、引用例１に記載された発明は、前記各場合を判断し、いずれかのセッションを実行していることから、それぞれの場合のセッションを「選択的に切り替えて」実行するものといえる。
　したがって、両者は、「画像データを蓄積する画像蓄積手段が設けられている場合に、前記画像入力手段で入力された入力画像データを前記画像蓄積手段に蓄積する入力画像データ蓄積ジョブおよび前記画像蓄積手段に蓄積された蓄積画像データを前記画像出力手段で出力する蓄積画像データ出力ジョブを組み合わせて１つの画像入出力ジョブとして実行するか、あるいは前記画像入力手段で入力された入力画像データを前記画像蓄積手段に蓄積することなく前記画像出力手段で出力する入力画像データ出力ジョブを実行するかを、選択的に切り替えるジョブ制御手段」を備える点で一致する。
（３）引用例１に記載された発明において、「ハードディスク６が故障している場合」は、本願補正発明の「画像蓄積手段が使用不可能な場合」に相当する。
　そして、引用例１に記載された発明において、「ジョブ制御手段」である「ＣＰＵ１２３」は、「ハードディスク６が故障している場合」は、読み取った画像データを、ハードディスク６を介することなく、プリンタ部２へ出力、すなわち「入力画像データ出力ジョブとして実行」している。
　したがって、両者は、「ジョブ制御手段は、前記画像蓄積手段が使用不可能な場合には当該処理すべきジョブを前記入力画像データ出力ジョブとして実行するように、選択的な切り替えを行う」点で共通する。
（４）引用例１に記載された発明は、「コピーセッション」におけるジョブ制御において、「ハードディスク６が正常動作している場合」であるか、「ハードディスク６が故障している場合」であるかに関わらず、「他の画像入力ジョブによってリーダ部１が使用されておらず、新たな画像入力ジョブの受け付け可能状態であれば、画像入力ジョブを開始し、プリンタ部２が他のジョブにより使用されておらず、新たなプリント動作可能状態であれば、画像出力ジョブを開始」することから、少なくとも「ハードディスク６が正常動作している場合」、すなわち「画像入出力ジョブを選択した場合」に前記制御を実行しているといえる。
　引用例１に記載された発明における、「他の画像入力ジョブによってリーダ部１が使用されておらず、新たな画像入力ジョブの受け付け可能状態」は、本願補正発明の、「画像入出力ジョブの実行に必要となる画像入力手段が使用可能」な状態に相当する。
　同じく「プリンタ部２が他のジョブにより使用されておらず、新たなプリント動作可能状態」は、本願補正発明の「画像入出力ジョブの実行に必要となる画像出力手段が他のジョブ実行によって占有」されていない状態に相当し、「プリンタ部２が他のジョブにより使用されておらず、新たなプリント動作可能状態であれば、画像出力ジョブを開始する」ことから、プリンタ部２が他のジョブにより使用されている状態、すなわち、本願補正発明と同様に、「画像入出力ジョブの実行に必要となる画像出力手段が他のジョブ実行によって占有されている」状態があり得ること、この場合、「画像入出力ジョブを構成する蓄積画像データ出力ジョブについては他のジョブ実行によって占有されている画像出力手段が使用可能になった時点で実行開始」することは明らかである。
　また、引用例１に記載された発明は、「セッション制御タスク（ａ）、画像入力ジョブ制御タスク（ｂ）、及び画像出力ジョブ制御タスク（ｃ）は各々マルチタスク動作する」ことから、「画像入力ジョブ」と「画像出力ジョブ」は独立して制御され、「他の画像入力ジョブによってリーダ部１が使用されておらず、新たな画像入力ジョブの受け付け可能状態」であり、かつ、「プリンタ部２が他のジョブにより使用されている状態」であれば、「画像入力ジョブ」を「直ちに」開始し、「画像出力ジョブ」は、「プリンタ部２が他のジョブにより使用されておらず、新たなプリント動作可能状態」になった時点で開始するようジョブ制御されていることは、技術常識からみて明らかである。
　したがって、引用例１に記載された発明と本願補正発明とは、「画像入出力ジョブを選択した場合に、当該画像入出力ジョブの実行に必要となる画像入力手段が使用可能で、かつ、当該画像入出力ジョブの実行に必要となる画像出力手段が他のジョブ実行によって占有されていると、当該画像入出力ジョブを構成する入力画像データ蓄積ジョブを直ちに実行開始させ、当該画像入出力ジョブを構成する蓄積画像データ出力ジョブについては前記他のジョブ実行によって占有されている画像出力手段が使用可能になった時点で実行開始させる」点で一致するといえる。
　
　以上のことから、本願補正発明と引用例１に記載された発明とは、
　「画像データを入力する少なくとも１つの画像入力手段と、
　画像データを出力する少なくとも１つの画像出力手段と、
　画像データを蓄積する画像蓄積手段が設けられている場合に、前記画像入力手段で入力された入力画像データを前記画像蓄積手段に蓄積する入力画像データ蓄積ジョブおよび前記画像蓄積手段に蓄積された蓄積画像データを前記画像出力手段で出力する蓄積画像データ出力ジョブを組み合わせて１つの画像入出力ジョブとして実行するか、あるいは前記画像入力手段で入力された入力画像データを前記画像蓄積手段に蓄積することなく前記画像出力手段で出力する入力画像データ出力ジョブを実行するかを、選択的に切り替えるジョブ制御手段とを備え、
　前記ジョブ制御手段は、前記画像蓄積手段が使用不可能な場合には当該処理すべきジョブを前記入力画像データ出力ジョブとして実行するように、
選択的な切り替えを行うとともに、
　前記画像入出力ジョブを選択した場合に、当該画像入出力ジョブの実行に必要となる画像入力手段が使用可能で、かつ、当該画像入出力ジョブの実行に必要となる画像出力手段が他のジョブ実行によって占有されていないと、当該画像入出力ジョブを構成する入力画像データ蓄積ジョブを直ちに実行開始させ、当該画像入出力ジョブを構成する蓄積画像データ出力ジョブについては前記画像出力手段が使用可能になった時点で実行開始させる画像入出力装置。」
である点において一致し、次の各点で相違する。
　
（相違点）
　本願補正発明のジョブ制御手段は、「処理すべきジョブの種別から画像データ蓄積の必要性を判断し、必要な場合は当該処理すべきジョブを前記画像入出力ジョブとして実行し、必要ない場合には当該処理すべきジョブを前記入力画像データ出力ジョブとして実行するように、選択的な切り替えを行う」のに対して、引用例１に記載された発明のジョブ制御手段には、対応する構成が特定されていない点。
　
５．判断
　一般に、画像入出力装置のコピー機能等における画像入出力ジョブにおいて、画像データを蓄積する必要がある場合には、入力した画像データをハードディスク等の蓄積手段に一旦蓄積し、画像データ出力要求が発生したとき、前記蓄積手段から画像データを読み出して出力し、一方、画像データを蓄積する必要がない場合には、入力した画像データを前記蓄積手段に画像データを蓄積することなく、出力装置を介して直ちに出力することは、当該技術分野における周知の技術手段である。
　例えば、引用例２には、前掲「３．（２）」の段落【００１５】に、コピー機能の動作制御において、画像データを受け取ると、ページバッファ１４がその画像データを一時的に保持し、画像出力装置２４が画像データを出力可能な状態であれば、ページバッファ１４内の画像データを、直接画像出力させ、一方、画像出力装置２４が画像データを出力不可能な状態であれば、ハードディスク装置２６（以下、ＨＤＤと略す。）に蓄積させた後、画像出力させることが、また、段落【００１６】に、１つの原稿に対して複数部の画像出力を行うジョブが設定された場合には、原稿から読み取られた画像データをＨＤＤに格納させた後、そのＨＤＤからの読み出しを複数回繰り返すことにより、複数部の画像出力を実現することが記載されており、設定されたジョブの種別や状態に基づいて、入力された画像データを画像蓄積手段であるＨＤＤに蓄積した上で、該ＨＤＤに蓄積された蓄積画像データを画像出力手段で出力するか、入力された画像データをＨＤＤに蓄積することなく画像出力手段で出力するかを判断すること、すなわち、画像データ蓄積の必要性を判断して、画像入出力ジョブとして実行するか、入力画像データ出力ジョブとして実行するかを選択的に切り替えることが記載されている。
　したがって、引用例１に記載された発明に、引用例２に記載された技術事項を適用して、ジョブの種別から画像データ蓄積の必要性の有無を判断し、画像入出力ジョブとして実行するか、入力画像データ出力ジョブとして実行するかを選択的に切り替える構成とすることは、当業者が適宜なし得ることである。
　
　そして、本願補正発明の奏する効果は、引用例１、２に記載された発明の奏する効果から予測される範囲内のものにすぎず、格別顕著なものということはできない。
　
　したがって、本願補正発明は、引用例１、２に記載された発明に基づいて、当業者が容易に発明をすることができたものである。
　
６．本件補正発明についてのむすび
　以上のとおり、本願補正発明は、特許法第２９条第２項に規定により特許出願の際独立して特許を受けることができないものであり、特許法第１７条の２第５項で準用する同法第１２６条第５項の規定に違反するものであるから、平成１８年５月１５日付けの手続補正は、平成１５年改正前特許法第１５９条第１項で準用する同法第５３条第１項の規定により却下すべきものである。
　
第３　本願発明について
１．本願発明
　平成１８年５月１５日付けの手続補正は、前記のとおり却下されるから、本願の特許請求の範囲の請求項１に係る発明（以下、「本願発明」という。）は、平成１８年２月６日付けの手続補正書により補正された特許請求の範囲の請求項１に記載された次のとおりのものである。
　「【請求項１】　画像データを入力する少なくとも１つの画像入力手段と、
　画像データを出力する少なくとも１つの画像出力手段と、
　画像データを蓄積する画像蓄積手段が設けられている場合に、前記画像入力手段で入力された入力画像データを前記画像蓄積手段に蓄積する入力画像データ蓄積ジョブおよび前記画像蓄積手段に蓄積された蓄積画像データを前記画像出力手段で出力する蓄積画像データ出力ジョブを組み合わせて１つの画像入出力ジョブとして実行するか、あるいは前記画像入力手段で入力された入力画像データを前記画像蓄積手段に蓄積することなく前記画像出力手段で出力する入力画像データ出力ジョブを実行するかを、選択的に切り替えるジョブ制御手段とを備え、
　前記ジョブ制御手段は、処理すべきジョブの種別から画像データ蓄積の必要性を判断し、必要な場合は当該処理すべきジョブを前記画像入出力ジョブとして実行し、必要ない場合または前記画像蓄積手段が使用不可能な場合には当該処理すべきジョブを前記入力画像データ出力ジョブとして実行するように、選択的な切り替えを行う
　ことを特徴とする画像入出力装置。」
　
２．引用刊行物
　原査定の拒絶の理由に引用された引用例１、２及びその記載事項は、前記「第２　３．」に記載したとおりである。
　
３．対比・判断
　本願発明は、前記「第２」で検討した本願補正発明から、
　「前記画像入出力ジョブを選択した場合に、当該画像入出力ジョブの実行に必要となる画像入力手段が使用可能で、かつ、当該画像入出力ジョブの実行に必要となる画像出力手段が他のジョブ実行によって占有されていると、当該画像入出力ジョブを構成する入力画像データ蓄積ジョブを直ちに実行開始させ、当該画像入出力ジョブを構成する蓄積画像データ出力ジョブについては前記他のジョブ実行によって占有されている画像出力手段が使用可能になった時点で実行開始させる」
との限定事項を省いたものである。
　そうすると、本願発明を特定する事項をすべて含む本願補正発明が、前記「第２　４．」、「第２　５．」に記載したとおり、引用例１、２に記載された発明に基づいて当業者が容易に発明をすることができたものであるから、本願発明も、同様の理由により、引用例１、２に記載された発明に基づいて当業者が容易に発明をすることができたものである。
　
４．むすび
　以上のとおり、本願発明は、特許法第２９条第２項の規定により特許を受けることができないものであるから、他の請求項について検討するまでもなく、本願は特許を受けることができない。
　よって、結論のとおり審決する。